(57)【要約】【課題】コンクリートブロックに部分的に脆弱な箇所が発生しにくく、また、構造が簡単で、コンクリートブロックの製造やコンクリートブロック構造体の構築にコストがかからず、フェイスシェル面内の水平方向及び該水平方向と直交する水平方向の剪断応力を負担する嵌合部を形成したコンクリートブロックを提供すること。【解決手段】フェイスシェル１の面内の水平方向の剪断応力を負担する嵌合部１１ａ、１２ａを、フェイスシェル１の一辺に形成した両側に水平部を有する台形状の山部と、当該辺１１と平行をなす辺１２に形成した両側に水平部を有する台形状の谷部とから構成する。【選択図】図１−１
2018013008.tif 000002
【特許請求の範囲】
【請求項１】
平行に形成したフェイスシェルをウェブで接続してなるコンクリートブロックのフェイスシェルの四辺に、各辺と隣接するコンクリートブロックのフェイスシェルの辺と嵌合することによって、フェイスシェル面内の水平方向及び該水平方向と直交する水平方向の剪断応力を負担する嵌合部をそれぞれ形成したコンクリートブロックにおいて、前記フェイスシェル面内の水平方向の剪断応力を負担する嵌合部が、フェイスシェルの一辺に形成した両側に水平部を有する台形状の山部と、当該辺と平行をなす辺に形成した両側に水平部を有する台形状の谷部とからなることを特徴とするコンクリートブロック。
【請求項２】
前記フェイスシェルを、コンクリートブロックの幅方向の中央に位置する１つのウェブで接続してなることを特徴とする請求項１に記載のコンクリートブロック。
【請求項３】
前記ウェブを、フェイスシェルの高さより低く形成し、上面に横筋を載置するための溝を、２本、平行に形成してなることを特徴とする請求項１又は２に記載のコンクリートブロック。
【発明の詳細な説明】
【技術分野】
【０００１】
本発明は、コンクリートブロックに関し、特に、フェイスシェル面内の水平方向及び該水平方向と直交する水平方向の剪断応力を負担する嵌合部を形成したコンクリートブロックに関するものである。
【背景技術】
【０００２】
従来、壁や塀等のコンクリートブロック構造体を構築するのに用いられてきた空洞をもったコンクリートブロックの形状は、縦横に隣接して配置されるコンクリートブロック同士が面する上下方向に向く面及び横方向に向く面が平坦な直方体状のものが一般的であった。
そうした形状のコンクリートブロックは、製造が容易で量産することができることから安価な建築材料として普及してきた。
【０００３】
直方体状のコンクリートブロックを縦横に配置し連結してコンクリートブロック構造体を構築する際には、目地と呼ばれる連結部にモルタルや漆喰などの目地材と呼ばれる接着材が用いられる。
この目地を形成するに当たっては、例えば、縦横に隣接して配置されるコンクリートブロック同士を接着材、すなわち、横打ち込み目地及び縦打ち込み目地で予備接着し、コンクリートやモルタルが充填されて目地（打ち込み目地）となる。
【０００４】
しかし、モルタルや漆喰などの目地材の接着強度が弱い場合や、接着材の材料強度そのものが低い場合、コンクリートブロックの連結部分が力学的に弱点となる。
この力学的な弱点を補い、コンクリートブロック構造体として一体性を確保するために、コンクリートブロックの空洞部に、縦筋と称される鉄筋や横筋と称される鉄筋とを縦横に所定間隔で組み込むようにするとともに、棒鋼を挿入し棒鋼の周りにコンクリートやモルタルが充填されるが、コンクリートブロック構造体に外力が作用した際に生じる剪断応力に対しては、コンクリートブロックの空洞部内に充填されたコンクリートやモルタル、空洞部内に挿入された鉄筋が負担するだけで、高強度のコンクリートブロックや煉瓦を用いてもコンクリートブロック構造体の強度を高めることは困難であった。
さらに、コンクリートブロックの空洞部内に充填されるコンクリートやモルタルの強度が弱い場合や充填不良が起きた場合は、コンクリートブロック構造体の力学的性能（耐力）が低く、棒鋼が何らかの要因により錆びた場合、さらに耐力が低下する。
【０００５】
ところで、このような問題を解決するために、本件出願人は、先に、コンクリートブロック（コンクリートブロック構造体）の面内の水平方向及び該水平方向と直交する水平方向の剪断応力を負担する嵌合部を形成した、いわゆる、インターロッキング構造のコンクリートブロック（コンクリートブロック構造体）を提案した（特許文献１〜２参照。）。
【先行技術文献】
【特許文献】
【０００６】
【特許文献１】特開２０１６−８４９１号公報
【特許文献２】意匠登録第１５２１４３９号公報
【発明の概要】
【発明が解決しようとする課題】
【０００７】
ところで、上記特許文献１〜２に記載のコンクリートブロック（コンクリートブロック構造体）は、隣接するコンクリートブロックと嵌合する嵌合部を形成することによって、コンクリートブロック（コンクリートブロック構造体）の面内の水平方向及び該水平方向と直交する水平方向の剪断応力を負担することで、構築されたコンクリートブロック構造体の力学的性能（耐力）を高められる反面、コンクリートブロックの角部に強度的に脆弱な箇所が発生しやすいため、コンクリートブロックの製造に高強度のコンクリートを使用する必要があったり、構造が複雑で、コンクリートブロックの空洞部内にコンクリートやモルタルを充填したり、鉄筋を組み込むのに手数を要する等、コンクリートブロックの製造やコンクリートブロック構造体の構築にコストがかかるという問題があった。
【０００８】
本発明は、上記従来のインターロッキング構造のコンクリートブロック（コンクリートブロック構造体）の有する問題点に鑑み、コンクリートブロックに部分的に脆弱な箇所が発生しにくく、また、構造が簡単で、コンクリートブロックの製造やコンクリートブロック構造体の構築にコストがかからず、フェイスシェル面内の水平方向及び該水平方向と直交する水平方向の剪断応力を負担する嵌合部を形成したコンクリートブロックを提供することを目的とする。
【課題を解決するための手段】
【０００９】
上記目的を達成するため、本発明のコンクリートブロックは、平行に形成したフェイスシェルをウェブで接続してなるコンクリートブロックのフェイスシェルの四辺に、各辺と隣接するコンクリートブロックのフェイスシェルの辺と嵌合することによって、フェイスシェル面内の水平方向及び該水平方向と直交する水平方向の剪断応力を負担する嵌合部をそれぞれ形成したコンクリートブロックにおいて、前記フェイスシェル面内の水平方向の剪断応力を負担する嵌合部が、フェイスシェルの一辺に形成した両側に水平部を有する台形状の山部と、当該辺と平行をなす辺に形成した両側に水平部を有する台形状の谷部とからなることを特徴とする。
【００１０】
この場合において、前記フェイスシェルを、コンクリートブロックの幅方向の中央に位置する１つのウェブで接続してなるようにすることができる。
【００１１】
また、前記ウェブを、フェイスシェルの高さより低く形成し、上面に横筋を載置するための溝を、２本、平行に形成してなるようにすることができる。
【発明の効果】
【００１２】
本発明のコンクリートブロックによれば、平行に形成したフェイスシェルをウェブで接続してなるコンクリートブロックという、汎用のコンクリートブロックの形状をし、コンクリートブロックのフェイスシェルの四辺に、各辺と隣接するコンクリートブロックのフェイスシェルの辺と嵌合することによって、フェイスシェル面内の水平方向及び該水平方向と直交する水平方向の剪断応力を負担する嵌合部をそれぞれ形成したコンクリートブロックにおいて、前記フェイスシェル面内の水平方向の剪断応力を負担する嵌合部が、フェイスシェルの一辺に形成した両側に水平部を有する台形状の山部と、当該辺と平行をなす辺に形成した両側に水平部を有する台形状の谷部とからなるようにすることにより、フェイスシェル面内の水平方向及び該水平方向と直交する水平方向の剪断応力を負担するようにしながら、コンクリートブロックに部分的に脆弱な箇所が発生しにくく、また、構造が簡単で、コンクリートブロックの製造やコンクリートブロック構造体の構築にコストがかからないようにすることができる。
【００１３】
また、前記フェイスシェルを、コンクリートブロックの幅方向の中央に位置する１つのウェブで接続してなるようにすることにより、コンクリートブロックの空洞部内にコンクリートやモルタルを充填する作業を容易に行うことができるとともに、充填したコンクリートやモルタルによって、フェイスシェル面内の水平方向と直交する水平方向の剪断応力を負担することができる。
【００１４】
また、前記ウェブを、フェイスシェルの高さより低く形成し、上面に横筋を載置するための溝を、２本、平行に形成してなるようにすることにより、横筋の重なり部を正確に、安定して設置することができる。
【図面の簡単な説明】
【００１５】
【図１−１】本発明のコンクリートブロックの第１実施例を示し、（ａ）は平面図、（ｂ）は正面図（背面図）、（ｃ）は底面図、（ｄ）は左側面図である。
【図１−２】同コンクリートブロックを示し、（ｅ）は右側面図、（ｆ）は図１−１（ａ）のＸ−Ｘ断面図、（ｇ）は斜視図である。
【図２−１】本発明のコンクリートブロックの第２実施例を示し、（ａ）は平面図、（ｂ）は正面図（背面図）、（ｃ）は底面図、（ｄ）は左側面図である。
【図２−２】同コンクリートブロックを示し、（ｅ）は右側面図、（ｆ）は図２−１（ａ）のＹ−Ｙ断面図、（ｇ）は斜視図である。
【発明を実施するための形態】
【００１６】
以下、本発明のコンクリートブロックの実施の形態を、図面に基づいて説明する。
【００１７】
図１−１〜図１−２に、本発明のコンクリートブロックの第１実施例を示す。
このコンクリートブロックは、平行に形成したフェイスシェル１をウェブ２で接続してなるコンクリートブロックのフェイスシェル１の四辺１１、１２、１３、１４に、各辺１１、１２、１３、１４と隣接するコンクリートブロックのフェイスシェルの辺と嵌合することによって、フェイスシェル１の面内の水平方向の剪断応力を負担する嵌合部１１ａ、１２ａ及び該水平方向と直交する水平方向の剪断応力を負担する嵌合部１３ａ、１４ａを形成したコンクリートブロックにおいて、フェイスシェル１の面内の水平方向の剪断応力を負担する嵌合部１１ａ、１２ａが、フェイスシェル１の水平方向の一辺１１に形成した両側に水平部を有する台形状の山部と、当該辺１１と平行をなす辺１２に形成した両側に水平部を有する台形状の谷部とからなるようにしている。
【００１８】
この場合において、本実施例においては、嵌合部１１ａ、１２ａは、それぞれ２つの台形状の山部と、台形状の谷部とからなるようにしているが、台形状の山部と台形状の谷部の数は、２つずつに限定されず、コンクリートブロックの大きさ等に応じて、１つ又は３つ以上に設定することができる。
【００１９】
一方、フェイスシェル１の面内の水平方向と直交する水平方向の剪断応力を負担する嵌合部１３ａ、１４ａは、フェイスシェル１の鉛直方向の一辺１３に形成した鉛直方向に延びる凸条と、当該辺１３と平行をなす辺１４に形成した鉛直方向に延びる凹溝（本実施例においては、切欠溝。）とからなるようにしている。
【００２０】
そして、フェイスシェル１は、コンクリートブロックの幅方向の中央に位置する１つのウェブ２で接続するようにしている。
これにより、コンクリートブロックの空洞部内にコンクリートやモルタルを充填する作業を容易に行うことができるとともに、充填したコンクリートやモルタルによって、フェイスシェル１の面内の水平方向と直交する水平方向の剪断応力を負担することができるようにしている。
【００２１】
このフェイスシェル１を接続するウェブ２の数は、１つに限定されず、コンクリートブロックの大きさ等に応じて、２つ以上に設定することができる。
【００２２】
例えば、本実施例においては、フェイスシェル１の両側に、内側に向けて延出する突出部３を形成するようにして、コンクリートやモルタルが充填するための空洞部４が、鉛直方向に延びるスリット５を除いてほぼ囲われるようにしたが、さらに、突出部３を延長することによって、スリット５をなくし、フェイスシェル１を接続するウェブとすることもできる。
【００２３】
また、図２−１〜図２−２に示す、本発明のコンクリートブロックの第２実施例のように、突出部３を省略し、フェイスシェル１の両側を開放して空洞部４に連なるようにすることもできる。
【００２４】
ウェブ２は、その上面位置が、フェイスシェル１の高さより低くなるように形成し、その上面に、横筋を安定して載置できるようにするための凹溝２１を形成するようにしている。
この横筋を載置するための凹溝２１は、横筋の重なりを考慮して、２本、平行に形成するようにしている。
これにより、横筋の重なり部を正確に、安定して設置することができる。
【００２５】
このコンクリートブロックは、平行に形成したフェイスシェル１をウェブ２で接続してなるコンクリートブロックという、汎用のコンクリートブロックの形状をし、コンクリートブロックのフェイスシェル１の四辺１１、１２、１３、１４に、各辺１１、１２、１３、１４と隣接するコンクリートブロックのフェイスシェルの辺と嵌合することによって、フェイスシェル１の面内の水平方向の剪断応力を負担する嵌合部１１ａ、１２ａ及び該水平方向と直交する水平方向の剪断応力を負担する嵌合部１３ａ、１４ａを形成したコンクリートブロックにおいて、前記フェイスシェル１の面内の水平方向の剪断応力を負担する嵌合部１１ａ、１２ａが、フェイスシェル１の水平方向の一辺１１に形成した両側に水平部を有する台形状の山部と、当該辺１１と平行をなす辺１２に形成した両側に水平部を有する台形状の谷部とからなるようにすることにより、フェイスシェル１の面内の水平方向及び該水平方向と直交する水平方向の剪断応力を負担するようにしながら、コンクリートブロックに部分的に脆弱な箇所が発生しにくく、また、構造が簡単で、コンクリートブロックの製造やコンクリートブロック構造体の構築にコストがかからないようにすることができる。
【００２６】
また、このコンクリートブロックは、フェイスシェル１の面内の水平方向の剪断応力を負担する嵌合部１１ａ、１２ａ及び該水平方向と直交する水平方向の剪断応力を負担する嵌合部１３ａ、１４ａが、構造が簡単な噛み合わせ構造のため、コンクリートブロック自体で、フェイスシェル１の面内の水平方向の剪断応力及び該水平方向と直交する水平方向の剪断応力を負担することができるとともに、施工性が良好で、施工時間を短縮化することができ、例えば、縦横に隣接して配置されるコンクリートブロック同士を接着材、すなわち、横打ち込み目地及び縦打ち込み目地で予備接着する工程を省略することもできる。
【００２７】
以上、本発明のコンクリートブロックについて、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明のコンクリートブロックは、コンクリートブロックに部分的に脆弱な箇所が発生しにくく、また、構造が簡単で、コンクリートブロックの製造やコンクリートブロック構造体の構築にコストがかからず、フェイスシェル面内の水平方向及び該水平方向と直交する水平方向の剪断応力を嵌合部によって負担することができるという特性を有していることから、耐震性に優れたコンクリートブロック塀のほか、擁壁、護岸、建築構造物の壁体等の用途に好適に用いることができる。
【符号の説明】
【００２９】
１  フェイスシェル
１１、１２、１３、１４  辺
１１ａ、１２ａ、１３ａ、１４ａ  嵌合部
２  ウェブ
２１  凹溝
３  突出部
４  空洞部
５  スリット
【図１−１】
2018013008.tif 000003
【図１−２】
2018013008.tif 000004
【図２−１】
2018013008.tif 000005
【図２−２】
2018013008.tif 000006
【手続補正書】
【提出日】平成29年8月30日(2017.8.30)
【手続補正１】
【補正対象書類名】明細書
【補正対象項目名】０００９
【補正方法】変更
【補正の内容】
【０００９】
上記目的を達成するため、本発明のコンクリートブロックは、平行に形成したフェイスシェルをウェブで接続してなるコンクリートブロックのフェイスシェルの四辺に、各辺と隣接するコンクリートブロックのフェイスシェルの辺と嵌合することによって、フェイスシェル面内の水平方向及び該水平方向と直交する水平方向の剪断応力を負担する嵌合部をそれぞれ形成したコンクリートブロックにおいて、前記フェイスシェル面内の水平方向の剪断応力を負担する嵌合部が、フェイスシェルの一辺に形成した両側に水平部を有する台形状の山部と、当該辺と平行をなす辺に形成した両側に水平部を有する台形状の谷部とからなるようにするとともに、ウェブの上面位置が、フェイスシェルの高さより低くなるように形成し、該ウェブの上面に横筋を載置するための凹溝を形成し、フェイスシェルの両側に、内側に向けて延出する、ウェブの高さと同じ高さの突出部を形成し、該突出部により、フェイスシェル間に形成された空洞部が、鉛直方向に延びるスリットを除いて囲われるようにしたことを特徴とする。
【手続補正２】
【補正対象書類名】特許請求の範囲
【補正対象項目名】全文
【補正方法】変更
【補正の内容】
【特許請求の範囲】
【請求項１】
平行に形成したフェイスシェルをウェブで接続してなるコンクリートブロックのフェイスシェルの四辺に、各辺と隣接するコンクリートブロックのフェイスシェルの辺と嵌合することによって、フェイスシェル面内の水平方向及び該水平方向と直交する水平方向の剪断応力を負担する嵌合部をそれぞれ形成したコンクリートブロックにおいて、前記フェイスシェル面内の水平方向の剪断応力を負担する嵌合部が、フェイスシェルの一辺に形成した両側に水平部を有する台形状の山部と、当該辺と平行をなす辺に形成した両側に水平部を有する台形状の谷部とからなるようにするとともに、ウェブの上面位置が、フェイスシェルの高さより低くなるように形成し、該ウェブの上面に横筋を載置するための凹溝を形成し、フェイスシェルの両側に、内側に向けて延出する、ウェブの高さと同じ高さの突出部を形成し、該突出部により、フェイスシェル間に形成された空洞部が、鉛直方向に延びるスリットを除いて囲われるようにしたことを特徴とするコンクリートブロック。
【請求項２】
前記フェイスシェルを、コンクリートブロックの幅方向の中央に位置する１つのウェブで接続してなることを特徴とする請求項１に記載のコンクリートブロック。
【請求項３】
前記ウェブを、フェイスシェルの高さより低く形成し、上面に横筋を載置するための溝を、２本、平行に形成してなることを特徴とする請求項１又は２に記載のコンクリートブロック。